(57)【要約】  施設案内アプリケーションにおけるスポット位置に、ユーザが取得した画像を紐付けることにより、ユーザのオリジナルアルバムを作成可能な装置及びその方法を提供する。  ユーザのオリジナルアルバムを作成する方法において、ユーザが撮影したユーザ画像に関連付けられた撮影位置と、施設のアプリケーションに備えられた施設内のスポット位置とを比較して、該撮影位置が該スポット位置に近接するとき、該スポット位置に該ユーザ画像を紐付けることを許容し、紐付けを許容された該ユーザ画像を該スポット位置に紐付けする。
2012176568.tif 000002
【特許請求の範囲】
【請求項１】
施設内のスポット位置に関する情報を備えた該施設のアプリケーションを格納する格納部と、
ユーザが撮影したユーザ画像を撮影位置と関連付けて保存するユーザ画像保存部と、
前記撮影位置と前記スポット位置とを比較して、前記撮影位置が前記スポット位置に近接するとき、前記スポット位置に前記ユーザ画像を紐付けることを許容する第１の紐付許容部と、
紐付けを許容された前記ユーザ画像を前記スポット位置に紐付ける紐付部と、
を備えるオリジナルアルバム作成装置。
【請求項２】
前記紐付部は、前記第１の紐付許容部が前記ユーザ画像の紐付けを許容したとき、前記ユーザの入力に基づいて前記ユーザ画像を前記スポット位置に紐付ける、請求項１に記載の装置。
【請求項３】
前記スポット位置に予め初期画像が紐付けられているとき、前記紐付部は、前記初期画像に代えて、あるいは前記初期画像とともに、前記ユーザ画像を前記スポット位置に紐付ける、請求項１又は２に記載の装置。
【請求項４】
前記初期画像と前記ユーザ画像とを比較し、該比較の結果に基づき、前記ユーザ画像を前記スポット位置に紐付けることを許容する第２の紐付許容部、
を更に備える請求項３に記載の装置。
【請求項５】
前記初期画像及び／又は前記ユーザ画像を、前記スポット位置に関連付けて表示するよう制御する表示制御部、
を更に備える請求項１〜４のいずれか一項に記載の装置。
【請求項６】
前記ユーザ画像のみを表示するモードと前記初期画像とともに前記ユーザ画像を表示するモードを選択可能な表示モード選択部、を備え、
前記表示制御部は、選択された前記モードに基づいて、前記初期画像及び／又は前記ユーザ画像を表示するよう制御する、請求項４又は５に記載の装置。
【請求項７】
撮像部と、
ユーザの現在位置を特定する現在位置特定部と、
施設内のスポット位置に関する情報を備えた該施設のアプリケーションを格納する格納部と、
前記現在位置と前記スポット位置とを比較して、前記現在位置が前記スポット位置に近接するとき、前記スポット位置での撮影を案内する撮影案内部と、
前記スポット位置に、前記案内に基づき前記撮像部が取得したユーザ画像を紐付けることを許容する紐付許容部と、
紐付けを許容された前記ユーザ画像を前記スポット位置に紐付ける紐付部と、
を備えるオリジナルアルバム作成システム。
【請求項８】
第１の紐付許容部が、ユーザが撮影したユーザ画像に関連付けられた撮影位置と、施設のアプリケーションに備えられた施設内のスポット位置とを比較して、前記撮影位置が前記スポット位置に近接するとき、前記スポット位置に前記ユーザ画像を紐付けることを許容する第１の紐付許容ステップと、
紐付部が、紐付けを許容された前記ユーザ画像を前記スポット位置に紐付ける紐付ステップと、
を備えるオリジナルアルバム作成方法。
【請求項９】
前記紐付ステップは、前記第１の紐付許容ステップが前記ユーザ画像の紐付けを許容したとき、前記ユーザの入力に基づいて前記ユーザ画像を前記スポット位置に紐付ける、請求項８に記載の方法。
【請求項１０】
前記スポット位置に予め初期画像が紐付けられているとき、前記紐付ステップは、前記初期画像に代えて、あるいは前記初期画像とともに、前記ユーザ画像を前記スポット位置に紐付ける、請求項８又は９に記載の方法。
【請求項１１】
第２の紐付許容部が、前記初期画像と前記ユーザ画像とを比較し、該比較の結果に基づき、前記ユーザ画像を前記スポット位置に紐付けることを許容する第２の紐付許容ステップ、
を更に備える請求項１０に記載の方法。
【請求項１２】
表示制御部が、前記初期画像及び／又は前記ユーザ画像を、前記スポット位置に関連付けて表示するよう制御する表示制御ステップ、
を更に備える請求項８〜１１のいずれか一項に記載の方法。
【請求項１３】
表示モード選択部が、前記ユーザ画像のみを表示するモード、あるいは、前記初期画像とともに前記ユーザ画像を表示するモードを選択する表示モード選択ステップ、を備え、
前記表示制御ステップは、選択された前記モードに基づいて、前記初期画像及び／又は前記ユーザ画像を表示するよう制御する、請求項１１又は１２に記載の方法。
【請求項１４】
撮像部が撮像する撮像ステップと、
現在位置特定部が、ユーザの現在位置を特定する現在位置特定ステップと、
撮影案内部が、前記現在位置と、施設のアプリケーションに備えられた施設内のスポット位置とを比較して、前記現在位置が前記スポット位置に近接するとき、前記スポット位置での撮影を案内する撮影案内ステップと、
紐付許容部が、前記スポット位置に、前記案内に基づき前記撮像ステップが取得したユーザ画像を紐付けることを許容する紐付許容ステップと、
紐付部が、紐付けを許容された前記ユーザ画像を前記スポット位置に紐付ける紐付ステップと、
を備えるオリジナルアルバム作成方法。
【請求項１５】
オリジナルアルバムを作成するためのコンピュータプログラムであって、コンピュータを、
ユーザが撮影したユーザ画像に関連付けられた撮影位置と、施設のアプリケーションに備えられた施設内のスポット位置とを比較して、前記撮影位置が前記スポット位置に近接するとき、前記スポット位置に前記ユーザ画像を紐付けることを許容する第１の紐付許容手段と、
紐付けを許容された前記ユーザ画像を前記スポット位置に紐付ける紐付手段、
として機能させるコンピュータプログラム。
【請求項１６】
前記紐付手段は、前記第１の紐付許容手段が前記ユーザ画像の紐付けを許容したとき、前記ユーザの入力に基づいて前記ユーザ画像を前記スポット位置に紐付ける、請求項１５に記載のコンピュータプログラム。
【請求項１７】
前記スポット位置に予め初期画像が紐付けられているとき、前記紐付手段は、前記初期画像に代えて、あるいは前記初期画像とともに、前記ユーザ画像を前記スポット位置に紐付ける、請求項１５又は１６に記載のコンピュータプログラム。
【請求項１８】
前記コンピュータを、更に、
前記初期画像と前記ユーザ画像とを比較し、該比較の結果に基づき、前記ユーザ画像を前記スポット位置に紐付けることを許容する第２の紐付許容手段、
として機能させる請求項１７に記載のコンピュータプログラム。
【請求項１９】
前記コンピュータを、更に、
前記初期画像及び／又は前記ユーザ画像を、前記スポット位置に関連付けて表示するよう制御する表示制御手段、
として機能させる請求項１５〜１８のいずれか一項に記載のコンピュータプログラム。
【請求項２０】
前記コンピュータを、更に、
前記ユーザ画像のみを表示するモードと前記初期画像とともに前記ユーザ画像を表示するモードを選択可能な表示モード選択手段、として機能させ、
前記表示制御手段は、選択された前記モードに基づいて、前記初期画像及び／又は前記ユーザ画像を表示するよう制御する、請求項１８又は１９に記載のコンピュータプログラム。
【請求項２１】
オリジナルアルバムを作成するためのコンピュータプログラムであって、コンピュータを、
撮像手段と、
ユーザの現在位置を特定する現在位置特定手段と、
前記現在位置と、施設のアプリケーションに備えられた施設内のスポット位置とを比較して、前記現在位置が前記スポット位置に近接するとき、前記スポット位置での撮影を案内する撮影案内手段と、
前記スポット位置に、前記案内に基づき前記撮像手段が取得したユーザ画像を紐付けることを許容する紐付許容手段と、
紐付けを許容された前記ユーザ画像を前記スポット位置に紐付ける紐付手段、
として機能させるコンピュータプログラム。
【請求項２２】
請求項１５〜２１のいずれかに記載のコンピュータプログラムを記録する記録媒体。
【発明の詳細な説明】
【技術分野】
【０００１】
本発明は、施設案内アプリケーションにおけるスポット位置に、ユーザが取得した画像を紐付けることにより、ユーザのオリジナルアルバムを作成する装置及びその方法に関する。
【背景技術】
【０００２】
近年、スマートフォン等の移動体端末装置の普及は目覚しく、広範な場面での利用が活発化してきている。そして、このような装置に利用されるアプリケーションも種々提供されてきている。このようなアプリケーションとして、例えば、ユーザがテーマパーク等の施設を訪れた際に、見所スポットや当該スポットにおける詳細説明、詳細説明に付随する画像等を案内する施設案内アプリケーション等が挙げられる。
一方、移動体端末装置に備えられたカメラ等を用いて撮影し、撮影された画像と当該画像が撮影された場所の位置情報とを関連付けた画像データとする技術が開示されている（特許文献１）。
【先行技術文献】
【特許文献】
【０００３】
【特許文献１】特開２００９−２２５３５０号公報
【発明の概要】
【発明が解決しようとする課題】
【０００４】
本発明者らは、ユーザが施設内の随所で撮影した画像を効率よく整理すること、また、整理された画像を観賞する際に上記アプリケーションと連動させることでユーザのみならず、第三者が観賞してもユーザの思い出を共有・共感できること、を目的として鋭意検討を重ねてきた。その結果、ユーザ画像に備えられた位置情報を、アプリケーションに備えられたスポット位置情報と比較し、両位置が近接するとき、当該ユーザ画像をスポット位置に紐付けることにより、上記課題を解決できることに想到した。
【課題を解決するための手段】
【０００５】
この発明は上述の課題に鑑みてなされたものであり、その第１の局面は次のように規定される。即ち、
施設内のスポット位置に関する情報を備えた該施設のアプリケーションを格納する格納部と、
ユーザが撮影したユーザ画像を撮影位置と関連付けて保存するユーザ画像保存部と、
前記撮影位置と前記スポット位置とを比較して、前記撮影位置が前記スポット位置に近接するとき、前記スポット位置に前記ユーザ画像を紐付けることを許容する第１の紐付許容部と、
紐付けを許容された前記ユーザ画像を前記スポット位置に紐付ける紐付部と、
を備えるオリジナルアルバム作成装置。【０００６】
このように規定される第１の局面のオリジナルアルバム作成装置によれば、ユーザが撮影したユーザ画像を撮影位置と関連付けて保存し、当該撮影位置と、施設のアプリケーションに備えられた施設内のスポット位置とを比較し、撮影位置がスポット位置に近接するとき、当該スポット位置へ上記ユーザ画像を紐付けることを許容し、紐付けを許容されたユーザ画像をスポット位置に紐付ける。このように、ユーザ画像を施設のアプリケーションにおけるスポット位置とリンクさせることによって、アプリケーションにおける位置に関連付けてユーザ画像を整理することが可能となる。したがって、当該施設に行ったことのない第三者であっても、アプリケーションに備えられた施設の案内地図やスポットの詳細説明と併せてユーザ画像が表示されることで、ユーザの思い出への共有・共感を図ることができる。また、他にも、同一スポットで撮影された複数の画像の選択、集約、仕分けが容易になり、画像整理の効率化を図ることができる。【０００７】
ここで、スポット位置とは、アプリケーションに備えられた位置情報であり、例えば当該施設における見所等である。当該スポットの位置情報としては、スポットを表す位置座標や、当該スポットに関する領域を表すポリゴンデータを挙げることとできる。スポット位置は、他にも、ユーザによって適宜設定することとしても良い。また、当該スポット位置に関連付けて当該スポットの詳細説明等の情報が関連付けられていても良い。
また、「近接するとき」とは、例えば、上記撮影位置がスポット位置上に、あるいはスポット位置から所定距離以内に存在すること、上記撮影位置がスポット位置の領域内に存在すること等とすることができる。
「紐付け」とは、上記スポット位置情報と上記ユーザ画像情報とを互いに関連付けることをいう。また、上記スポット位置に画像を保存可能な保存部が設けられている場合には、上記スポット位置に紐付けられたユーザ画像を当該保存部へ書き込むこととしても良い。【０００８】
「紐付けを許容する」とは、紐付け可能状態とすることをいい、実際の紐付けは紐付部によって実行される。
また、上記紐付部は、前記第１の紐付許容部が前記ユーザ画像の紐付けを許容したとき、前記ユーザの入力に基づいて前記ユーザ画像を前記スポット位置に紐付けることとできる（第２の局面）。このように規定される第２の局面のオリジナルアルバム作成装置によれば、紐付けが許容された画像であっても、ユーザの指令に基づいて紐付けが実行されるため、よりユーザの好みに合わせたアルバムの作成が可能となる。
さらには、上記スポット位置に予め初期画像が紐付けられているとき、前記紐付部は、前記初期画像に代えて、あるいは前記初期画像とともに、前記ユーザ画像を前記スポット位置に紐付けることとしても良い（第３の局面）。同様にして、当該スポット位置にユーザ画像を紐付ける際、既に紐付けされたユーザ画像に代えることとしても良いし、この画像とともに紐付けることとしても良い。【０００９】
上記のように、スポット位置に予め初期画像が紐付けられているとき、このオリジナルアルバム作成装置は、前記初期画像と前記ユーザ画像とを比較し、該比較の結果に基づき、前記ユーザ画像を前記スポット位置に紐付けることを許容する第２の紐付許容部を備えることとしても良い（第４の局面）。この場合、例えば、初期画像に近似するユーザ画像を当該スポット位置へ紐付け許容することとできる。また、上記オリジナルアルバム作成装置は、前記初期画像及び／又は前記ユーザ画像を、前記スポット位置に関連付けて表示するよう制御する表示制御部を備えることとしても良い（第５の局面）。【００１０】
上記オリジナルアルバム作成装置において、前記ユーザ画像のみを表示するモードと前記初期画像とともに前記ユーザ画像を表示するモードを選択可能な表示モード選択部、を備え、前記表示制御部は、選択された前記モードに基づいて、前記初期画像及び／又は前記ユーザ画像を表示するよう制御することとできる（第６の局面）。この場合、例えば、スポット位置に初期画像とユーザ画像とが紐付けられている場合において、表示の際のユーザの好みに併せて、ユーザ画像のみの表示や初期画像と合わせた表示を選択可能となる。【００１１】
この発明の第７の局面は次のように規定される。即ち、
撮像部と、
ユーザの現在位置を特定する現在位置特定部と、
施設内のスポット位置に関する情報を備えた該施設のアプリケーションを格納する格納部と、
前記現在位置と前記スポット位置とを比較して、前記現在位置が前記スポット位置に近接するとき、前記スポット位置での撮影を案内する撮影案内部と、
前記スポット位置に、前記案内に基づき前記撮像部が取得したユーザ画像を紐付けることを許容する紐付許容部と、
紐付けを許容された前記ユーザ画像を前記スポット位置に紐付ける紐付部と、
を備えるオリジナルアルバム作成システム。【００１２】
このように規定される第７の局面のオリジナルアルバム作成システムによれば、ユーザの現在位置が、アプリケーションに備えられたスポット位置に近接するとき、当該スポット位置を案内し、当該案内に基づき当該スポット位置においてユーザが撮影したとき、当該ユーザ画像を当該スポット位置に紐付けることを許容し、紐付けを実行する。このようなシステムによれば、ユーザは、自己の現在位置に応じて、アプリケーションに備えられたスポットを撮影スポットとして案内されるため、このようなスポットにおける漏れのない撮影をすることができる。そして、このようにして撮影されたユーザ画像を当該スポットと紐付けて保存することで、上述のようにアプリケーションの提供する地図やスポットの詳細説明とともに、スポットに紐付けられたユーザ画像の観賞が可能となる。【００１３】
また、この発明の第８の局面は次のように規定される。即ち、
第１の紐付許容部が、ユーザが撮影したユーザ画像に関連付けられた撮影位置と、施設のアプリケーションに備えられた施設内のスポット位置とを比較して、前記撮影位置が前記スポット位置に近接するとき、前記スポット位置に前記ユーザ画像を紐付けることを許容する第１の紐付許容ステップと、
紐付部が、紐付けを許容された前記ユーザ画像を前記スポット位置に紐付ける紐付ステップと、
を備えるオリジナルアルバム作成方法。
このように規定される第８の局面の発明によれば、第１の局面と同等の効果を奏する。【００１４】
この発明の第９の局面は次のように規定される。即ち、
第８の局面に規定の方法において、前記紐付ステップは、前記第１の紐付許容ステップが前記ユーザ画像の紐付けを許容したとき、前記ユーザの入力に基づいて前記ユーザ画像を前記スポット位置に紐付ける。
このように規定される第９の局面の発明によれば、第２の局面と同等の効果を奏する。【００１５】
この発明の第１０の局面は次のように規定される。即ち、
第８又は第９の局面に規定の方法において、前記スポット位置に予め初期画像が紐付けられているとき、前記紐付ステップは、前記初期画像に代えて、あるいは前記初期画像とともに、前記ユーザ画像を前記スポット位置に紐付ける。
このように規定される第１０の局面の発明によれば、第３の局面と同等の効果を奏する。【００１６】
この発明の第１１の局面は次のように規定される。即ち、
第１０の局面に規定の方法において、第２の紐付許容部が、前記初期画像と前記ユーザ画像とを比較し、該比較の結果に基づき、前記ユーザ画像を前記スポット位置に紐付けることを許容する第２の紐付許容ステップ、を更に備える。
このように規定される第１１の局面の発明によれば、第４の局面と同等の効果を奏する。【００１７】
この発明の第１２の局面は次のように規定される。即ち、
第８〜第１１のいずれかの局面に規定の方法において、表示制御部が、前記初期画像及び／又は前記ユーザ画像を、前記スポット位置に関連付けて表示するよう制御する表示制御ステップ、を更に備える。
このように規定される第１２の局面の発明によれば、第５の局面と同等の効果を奏する。【００１８】
この発明の第１３の局面は次のように規定される。即ち、
第１１又は第１２の局面に規定の方法において、表示モード選択部が、前記ユーザ画像のみを表示するモード、あるいは、前記初期画像とともに前記ユーザ画像を表示するモードを選択する表示モード選択ステップ、を備え、
前記表示制御ステップは、選択された前記モードに基づいて、前記初期画像及び／又は前記ユーザ画像を表示するよう制御する。
このように規定される第１３の局面の発明によれば、第６の局面と同等の効果を奏する。【００１９】
この発明の第１４の局面は次のように規定される。即ち、
撮像部が撮像する撮像ステップと、
現在位置特定部が、ユーザの現在位置を特定する現在位置特定ステップと、
撮影案内部が、前記現在位置と、施設のアプリケーションに備えられた施設内のスポット位置とを比較して、前記現在位置が前記スポット位置に近接するとき、前記スポット位置での撮影を案内する撮影案内ステップと、
紐付許容部が、前記スポット位置に、前記案内に基づき前記撮像ステップが取得したユーザ画像を紐付けることを許容する紐付許容ステップと、
紐付部が、紐付けを許容された前記ユーザ画像を前記スポット位置に紐付ける紐付ステップと、
を備えるオリジナルアルバム作成方法。
このように規定される第１４の局面の発明によれば、第７の局面と同等の効果を奏する。【００２０】
更に、この発明の第１５の局面は次のように規定される。即ち、
オリジナルアルバムを作成するためのコンピュータプログラムであって、コンピュータを、
ユーザが撮影したユーザ画像に関連付けられた撮影位置と、施設のアプリケーションに備えられた施設内のスポット位置とを比較して、前記撮影位置が前記スポット位置に近接するとき、前記スポット位置に前記ユーザ画像を紐付けることを許容する第１の紐付許容手段と、
紐付けを許容された前記ユーザ画像を前記スポット位置に紐付ける紐付手段、
として機能させるコンピュータプログラム。
このように規定される第１５の局面の発明によれば、第１の局面と同等の効果を奏する。【００２１】
この発明の第１６の局面は次のように規定される。即ち、
第１５の局面に規定のコンピュータプログラムにおいて、前記紐付手段は、前記第１の紐付許容手段が前記ユーザ画像の紐付けを許容したとき、前記ユーザの入力に基づいて前記ユーザ画像を前記スポット位置に紐付ける。
このように規定される第１６の局面の発明によれば、第２の局面と同等の効果を奏する。【００２２】
この発明の第１７の局面は次のように規定される。即ち、
第１５又は第１６の局面に規定のコンピュータプログラムにおいて、前記スポット位置に予め初期画像が紐付けられているとき、前記紐付手段は、前記初期画像に代えて、あるいは前記初期画像とともに、前記ユーザ画像を前記スポット位置に紐付ける。
このように規定される第１７の局面の発明によれば、第３の局面と同等の効果を奏する。【００２３】
この発明の第１８の局面は次のように規定される。即ち、
第１７の局面に規定のコンピュータプログラムにおいて、前記コンピュータを、更に、
前記初期画像と前記ユーザ画像とを比較し、該比較の結果に基づき、前記ユーザ画像を前記スポット位置に紐付けることを許容する第２の紐付許容手段、として機能させる。
このように規定される第１８の局面の発明によれば、第４の局面と同等の効果を奏する。【００２４】
この発明の第１９の局面は次のように規定される。即ち、
第１５〜第１８のいずれかの局面に規定のコンピュータプログラムにおいて、前記コンピュータを、更に、
前記初期画像及び／又は前記ユーザ画像を、前記スポット位置に関連付けて表示するよう制御する表示制御手段、として機能させる。
このように規定される第１９の局面の発明によれば、第５の局面と同等の効果を奏する。【００２５】
この発明の第２０の局面は次のように規定される。即ち、
第１８又は第１９の局面に規定のコンピュータプログラムにおいて、前記コンピュータを、更に、
前記ユーザ画像のみを表示するモードと前記初期画像とともに前記ユーザ画像を表示するモードを選択可能な表示モード選択手段、として機能させ、
前記表示制御手段は、選択された前記モードに基づいて、前記初期画像及び／又は前記ユーザ画像を表示するよう制御する。
このように規定される第２０の局面の発明によれば、第６の局面と同等の効果を奏する。【００２６】
この発明の第２１の局面は次のように規定される。即ち、
オリジナルアルバムを作成するためのコンピュータプログラムであって、コンピュータを、
撮像手段と、
ユーザの現在位置を特定する現在位置特定手段と、
前記現在位置と、施設のアプリケーションに備えられた施設内のスポット位置とを比較して、前記現在位置が前記スポット位置に近接するとき、前記スポット位置での撮影を案内する撮影案内手段と、
前記スポット位置に、前記案内に基づき前記撮像手段が取得したユーザ画像を紐付けることを許容する紐付許容手段と、
紐付けを許容された前記ユーザ画像を前記スポット位置に紐付ける紐付手段、
として機能させるコンピュータプログラム。
このように規定される第２１の局面の発明によれば、第７の局面と同等の効果を奏する。【００２７】
第１５〜第２１のいずれかの局面に規定されるコンピュータプログラムを記録する記録媒体が第２２の局面として規定される。
【図面の簡単な説明】
【００２８】
【図１】本発明の実施の形態のオリジナルアルバム作成装置の構成を示すブロック図である。
【図２】本発明の実施の形態のオリジナルアルバム作成装置の動作を示すフローチャートである。
【図３】本発明の他の実施の形態のオリジナルアルバム作成装置の構成を示すブロック図である。
【図４】本発明の実施例のオリジナルアルバム作成装置の構成を示すブロック図である。
【図５】本発明の他の実施の形態のオリジナルアルバム作成システムの構成を示すブロック図である。
【発明を実施するための形態】
【００２９】
この発明の実施の形態のオリジナルアルバム作成装置を説明する。
図１に、オリジナルアルバム作成装置１の概略構成を示す。
図１に示すように、このオリジナルアルバム作成装置１は、格納部３、ユーザ画像保存部４、第１の紐付許容部５、第１保存部６、紐付部７及び紐付情報保存部８を備えている。この装置１において、上記構成の全てを移動体端末装置が備えることとしても良いし、移動体端末装置とサーバ装置とに分けて備えることとしても良い。
【００３０】
格納部３には、施設内のスポット位置に関する情報を備えた当該施設のアプリケーションが格納される。当該アプリケーションは、少なくとも施設内のスポットの位置情報を備えていれば良いが、他にも、例えば、スポットにおける画像（以下、初期画像ともいう）や当該スポットの説明等の情報をスポット位置に関連付けて備えることとできる。
ユーザ画像保存部４には、ユーザ画像が保存される。当該ユーザ画像は、ユーザが撮影した画像であり、撮影位置と関連付けて保存されている。ここで、ユーザ画像は、静止画像であっても良く、動画像であっても良い。また、撮影位置と関連付けられた画像であれば、他のユーザ等から取得した画像であっても良い。当該ユーザ画像には、上記位置情報とともに時間情報を関連付けることとしても良い。ユーザ画像に時間情報が関連付けられていれば、ユーザ画像を時系列で表示することが可能となる。また、ユーザ画像に被写体別等の任意のフラグを立てることによって、被写体別のアルバムを作成することができる。
【００３１】
第１の紐付許容部５は、抽出部５１、位置比較部５３及び第１の許容部５５を備え、格納部３及びユーザ画像保存部４を参照して、上記スポット位置へのユーザ画像の紐付けを許容する。
抽出部５１は、上記ユーザ画像保存部４から、スポット位置への紐付けの対象となる任意のユーザ画像を抽出する。抽出されたユーザ画像は、位置比較部５３へ送られる。
位置比較部５３は、格納部３を参照し、抽出部５１で抽出されたユーザ画像に関連付けられた位置（例えば、撮影位置）と、上記スポット位置との位置情報を比較する。
【００３２】
第１の許容部５５は、位置比較部５３の比較結果に基づいて、上記撮影位置がスポット位置に近接するとき、上記ユーザ画像を上記スポット位置へ紐付けることを許容する。許容された紐付けに関する情報は、第１保存部６に保存される。
紐付部７は、第１保存部６を参照して、紐付けを許容されたユーザ画像を上記スポット位置へ紐付ける。当該紐付けは、第１の紐付許容部５で紐付けを許容されたことを条件に紐付けても良いし、予め定められた条件に基づいて紐付けることとしても良い。当該予め定められた条件として、例えば、後述する入力部を介したユーザの紐付指令に基づくこととできる。当該紐付けに関する情報は、紐付情報保存部８に保存される。
【００３３】
図２を用いて、図１に示すオリジナルアルバム作成装置１の動作を説明する。
まず、ステップ１において、第１の紐付許容部５内の抽出部５１は、ユーザ画像保存部４から、スポット位置Ｂへの紐付けの対象となる任意のユーザ画像Ｘａを抽出する。
ステップ３では、位置比較部５３は、格納部３を参照し、ステップ１で抽出された対象ユーザ画像Ｘａに関連付けられた位置Ａとスポット位置Ｂとの位置情報を比較する。当該比較の結果、位置Ａが位置Ｂから予め設定された距離ｄ内であるとき（ステップ５：Ｙｅｓ）、ステップ７へ進み、第１の許容部５５は対象ユーザ画像Ｘａをスポット位置Ｂへ紐付けすることを許容し、当該情報を保存する（ステップ７）。
一方、ステップ５においてＮｏのとき、対象ユーザ画像Ｘａに続く対象ユーザ画像Ｘａ＋１についてステップ１、３、５を実行する（ステップ１３、１５）。
【００３４】
ステップ８において、紐付部７は、ステップ７で紐付けを許容された対象ユーザ画像Ｘａとスポット位置との紐付けを実行するか否か、ユーザに案内する。当該案内に対して、当該紐付けを実行する旨のユーザ指令を受けたとき（ステップ９：Ｙｅｓ）、ステップ１１へ進み、紐付部７は、対象ユーザ画像Ｘａとスポット位置Ｂとの紐付けを実行する（ステップ１１）。また、当該紐付けに際して、上記スポット位置に予め初期画像が紐付けられているときには、当該初期画像に代えて、あるいは当該初期画像とともに対象ユーザ画像を紐付けることとできる。
一方、ステップ９においてＮｏのとき、対象ユーザ画像Ｘａに続く対象ユーザ画像Ｘａ＋１についてステップ１、３、５、７、８、９を実行する（ステップ１３、１５）。
ここで、上記動作では、ユーザの指令に基づき紐付けを実行することとしたが、上記ステップ８及び９を省略して、紐付けを許容された対象ユーザ画像を自動的に紐付けることとしても良い。
【００３５】
図３に、他の実施の形態のオリジナルアルバム作成装置２１を示す。図３において、図１と同一の要素には同一の符号を付して、その説明を部分的に省略する。
図３に示すのは、上述のようにスポット位置に予め初期画像が紐付けられている場合には、上記位置情報の比較とともに、初期画像とユーザ画像との画像の比較を行うことにより、より紐付けに適したユーザ画像を紐付けすることが可能なオリジナルアルバム作成装置２１である。すなわち、当該装置２１は、図１に示す装置１において、第２の紐付許容部２３及び第２保存部２４を更に備え、紐付部７及び紐付情報保存部８に代えて、それぞれ紐付部２５及び紐付情報保存部２６を備えている。
【００３６】
第２の紐付許容部２３は、画像比較部２３１及び第２の許容部２３３を備え、格納部３、ユーザ画像保存部４及び第１保存部６を参照して、上記位置情報の比較において紐付けを許容されたユーザ画像と上記初期画像との比較に基づき、上記スポット位置へのユーザ画像の紐付けを許容する。
画像比較部２３１は、格納部３、ユーザ画像保存部４及び第１保存部６を参照して、第１の紐付許容部５で紐付けを許容されたユーザ画像と上記初期画像とを比較する。当該比較の方法としては、ユーザ画像が初期画像に近似するか否か比較することができれば特に限定されない。
【００３７】
第２の許容部２３３は、画像比較部２３１の比較結果に基づいて、上記ユーザ画像が初期画像に近似するとき、上記ユーザ画像を上記スポット位置へ紐付けることを許容する。許容された紐付けに関する情報は、第２保存部２４に保存される。
紐付部２５は、第２保存部２４を参照して、紐付けを許容されたユーザ画像を上記スポットへ紐付ける。当該紐付けは、第２の紐付許容部２３で紐付けを許容されたことを条件に自動的に紐付けても良いし、ユーザの入力により紐付けすることとしても良い。当該紐付けに関する情報は、紐付情報保存部２６に保存される。
この装置２１では、第1の紐付け許容と第２の紐付け許容とを直列的に行ったが、第１の紐付け許容と第２の紐付け許容を並列的に行うこととしても良い。
【００３８】
図４に、実施例のオリジナルアルバム作成装置３１を示す。図４において、図１及び図３と同一の要素には同一の符号を付して、その説明を部分的に省略する。
図４に示すのは、ユーザ画像を上記スポットに関連付けて表示可能なオリジナルアルバム作成装置３１である。すなわち、当該装置３１は、図３に示す装置２１において、制御部４１０、メモリ部４１１、入力部４１２、出力部４１３、インターフェース部４１４、及び表示モード選択部３４を更に備えている。
制御部４１０はＣＰＵ、バッファメモリその他の装置を備えたコンピュータ装置であり、オリジナルアルバム作成装置３１を構成する他の要素を制御する。この制御部４１０は、表示制御部３３を備えている。
【００３９】
表示制御部３３は、格納部３及びユーザ画像保存部４を参照し、紐付情報保存部２６に保存された紐付けに関する情報に基づいて、スポット位置に紐付けられた初期画像及び／又はユーザ画像を、当該スポット位置に関連付けて表示するよう制御する。また、後述する表示モード選択部３４で、表示モードが選択された場合には、選択された表示モードに従って上記初期画像及び／又はユーザ画像を表示するよう制御する。
メモリ部４１１にはコンピュータプログラムが保存され、このコンピュータプログラムはコンピュータ装置である制御部４１０に読み込まれて、これを機能させる。このコンピュータプログラムは、端末装置又は移動体端末装置の記憶装置としての内蔵ハードディスク又は内蔵メモリ、端末装置又は移動体端末装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
【００４０】
入力部４１２は、上記紐付けの実行がユーザの指令に基づく場合におけるユーザ指令の入力に用いられる。また、ユーザ画像へのコメント入力が可能な場合には、当該コメントの入力の際に用いることとできる。入力部４１２として、マウス、ライトペン又はディスプレイの表示内容と協働するタッチパネル等のポインティングデバイスやキーボード又はマイクロホン等の音声入力装置を用いることができる。
出力部４１３はディスプレイを含み、入力画面や、格納部３に格納された施設のアプリケーションに備えられた施設の地図、スポット位置、スポットにおける画像、スポットの説明等、その他の情報を表示する。この出力部４１３は音声発信部を含むこともできる。
【００４１】
インターフェース部４１４はオリジナルアルバム作成装置３１を無線ネットワーク等へ連結させる。
表示モード選択部３４は、ユーザ画像のみを表示するモード及び初期画像とともにユーザ画像を表示するモードのうちから、要求されているモードの選択を行う。当該モードの選択は、ユーザによる入力部からの信号に基づき行うことができる。また、詳細な例として、施設内におけるユーザの選択するルートあるいはアプリケーションが指定するルートに沿って表示するモードや、ユーザ画像に時間情報が関連付けられている場合には、当該ユーザ画像を時系列で表示するモード等を設定することとできる。
【００４２】
図５に、他の実施の形態のオリジナルアルバム作成システム４１を示す。図５において、図１、図３及び図４と同一の要素には同一の符号を付して、その説明を部分的に省略する。
図５に示すように、このオリジナルアルバム作成システム４１は、移動体端末装置４３及びサーバ装置４５を備えており、両者はネットワークＮを介して無線で接続されている。
移動体端末装置４３は、ユーザが携帯可能な通信端末装置であり、例えば、携帯電話機、ＰＤＡ（Ｐｅｒｓｏｎａｌ Ｄｉｇｉｔａｌ Ａｓｓｉｓｔａｎｔｓ）、携帯ゲーム機、ノート型ＰＣ等が挙げられる。以下、移動体端末装置４３（Ｍ１）の構成を説明するが、他の移動体端末装置Ｍ２、…、ＭｎについてもＭ１と同様の構成を備えるものとする。
移動体端末装置４３は、入力部４３１、出力部４３２、現在位置特定部４３３、撮像部４３４、ユーザ画像保存部４３５、紐付情報保存部４３６及び端末側通信部４３７を備える。
【００４３】
入力部４３１は、上述のように紐付けの実行がユーザの指令に基づく場合におけるユーザ指令の入力や、後述するユーザ画像へのコメントの入力等に用いられる。
出力部４３２は、上述のようにディスプレイを含み、入力画面や、後述する端末側通信部４３７が受信した施設のアプリケーションに備えられた施設の地図、スポット位置、スポットにおける画像、スポットの説明、後述するユーザ画像や撮影案内のための画像等、その他の情報を表示する。
現在位置特定部４３３は、ＧＰＳ受信機能等により移動体端末装置の位置と時間を特定する。当該位置及び時間は、ユーザ自身が位置登録することにより、あるいは、自動的に（例えば、１０分間隔等）特定される。
【００４４】
撮像部４３４は、ユーザ画像を撮像する。撮像された当該ユーザ画像は、ユーザ画像保存部４３５に保存される。ここで、後述する撮影案内部４５５の案内に基づき、案内されたスポット位置で撮像したユーザ画像であって、後述する紐付部４６０において紐付けされたユーザ画像については、該スポット位置と関連付けてユーザ画像保存部４３５へ保存することとできる。
紐付情報保存部４３６は、後述する紐付部４６０で紐付けられた、スポット位置とユーザ画像との紐付けに関する情報を保存する。
端末側通信部４３７は、各種情報をサーバ装置４５へ送信する送信部と、各種情報をサーバ装置４５から受信する受信部とを備える。当該送信部は、上記入力部４３１で入力された情報や上記現在位置特定部４３３で特定された位置及び時間の情報をサーバ装置へ送信し、当該受信部は、上記スポットにおける撮影案内や上記紐付に関する情報を受信する。
【００４５】
サーバ装置４５は、移動体端末装置４３から送信された、上記移動体端末装置の位置及び時間に関する情報に基づいたアプリケーション内のスポット位置での撮影案内や、当該案内に基づいて撮影されたユーザ画像をスポット位置へ紐付け実行した場合には当該紐付けに関する情報を移動体端末装置４３に送信する。
サーバ装置４５は、サーバ側通信部４５１、格納部４５３、撮影案内部４５５、紐付許容部４５７、第１保存部４５９及び紐付部４６０を備える。
サーバ側通信部４５１は、各種情報を移動体端末装置４３から受信する受信部と、各種情報を移動体端末装置４３へ送信する送信部とを備える。当該受信部は、上記現在位置特定部４３３で特定された位置及び時間の情報や上記入力部４３１で入力された情報を受信し、当該送信部は、後述する撮影案内に関するメッセージや紐付けを許容されたユーザ画像のスポット位置への紐付けを実行するか否かのメッセージ、紐付けを実行した際の紐付けに関する情報を送信する。
【００４６】
格納部４５３には、上述のように施設内のスポット位置に関する情報を備えた当該施設のアプリケーションが格納される。
撮影案内部４５５は、位置比較部４５５１と案内部４５５３とを備え、通信部４５１及び格納部４５３を参照して、スポット位置における撮影案内を行う。
位置比較部４５５１は、通信部４５１が受信した移動体端末装置４３の現在位置情報と、格納部４５３に格納されたアプリケーションに備えられたスポット位置に関する情報とに基づいて、当該現在位置とスポット位置とを比較する。
【００４７】
案内部４５５３は、位置比較部４５５１の比較結果に基づいて、現在位置がスポット位置に近接するとき、当該スポット位置での撮影を案内する。
紐付許容部４５７は、上記案内に基づいて撮影されたユーザ画像を上記スポット位置へ紐付けることを許容する。当該許容された紐付けに関する情報は、第１保存部４５９に保存される。
紐付部４６０は、第１保存部４５９を参照して、紐付けを許容されたユーザ画像を上記スポット位置へ紐付ける。当該紐付けは、紐付許容部４５７で紐付けを許容されたことを条件に紐付けても良いし、予め定められた条件に基づいて紐付けることとしても良い。当該予め定められた条件として、例えば、前述の入力部を介したユーザの紐付指令に基づくこととできる。当該紐付けに関する情報は、通信部４５１、４３７を介して移動体端末装置４３内紐付情報保存部４３６に保存される。
【００４８】
このシステム４１では、ユーザにより入力された情報や移動体端末装置４３の位置及び時間の情報をサーバ装置４５に送信したが、これらの情報に加えて、ユーザ画像をサーバ装置４５に送信した場合には、サーバ装置４５においてユーザ画像とスポット位置に紐付けられた初期画像との画像比較を行い、両画像が近似するとき紐付けを許容することとできる。
また、移動体端末装置４３が、時間情報をサーバ装置４５に送信することで、当該時間に合わせた撮影案内を行うことが可能となる。
【００４９】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００５０】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００５１】
１  ２１  ３１  オリジナルアルバム作成装置
３  ４５３  格納部
４  ４３５  ユーザ画像保存部
５  ２３  ４５７  紐付許容部
７  ２５  ４６０  紐付部
８  ２６  ４３６  紐付情報保存部
５１  抽出部
５３  位置比較部
５５  ２３３  許容部
２３１  画像比較部
３３  表示制御部
３４  表示モード選択部
４１  オリジナルアルバム作成システム
４３  移動体端末装置
４３４  撮像部
４５  サーバ装置
４５５  撮影案内部
【図１】
2012176568.tif 000003
【図２】
2012176568.tif 000004
【図３】
2012176568.tif 000005
【図４】
2012176568.tif 000006
【図５】
2012176568.tif 000007
【国際調査報告】
2012176568.tif 000008
2012176568.tif 000009